(57)【要約】  本発明は、長手方向軸（１’）を規定する管状部分（１）を備える金属パッケージに関し、該管状部分（１）は、前記長手方向軸１’に直交して延びる平面（１３）上で、前記管状部分（１）の周囲に形成された１つのモール（１１）または幾つかのモール（１１）から成る一体の環状構造体（１０）を備え、取り扱い部材が静置されるように意図された環状下面（１２）を形成する。【選択図】図２
2015511562.tif 000002
【特許請求の範囲】
【請求項１】
長手方向軸（１’）を定める管状部分（１）を含む金属パッケージにおいて、前記管状部分（１）は、前記長手方向軸（１’）に直交して延びる平面（１３）内で、前記管状部分（１）の周囲に形成された１つまたは幾つかの環状ビード（１１）から成る一体の環状構造体（１０）を含み、取り扱い部材が静置される下方の環状表面（１２）を形成することを特徴とする金属パッケージ。
【請求項２】
前記一体の環状構造体（１０）は、前記管状部分（１）の内側および／または外側に向けて突出した状態で形成された１つまたは幾つかのビード（１１）を含むことを特徴とする請求項１による金属パッケージ。
【請求項３】
前記一体の環状構造体（１０）は、前記管状部分（１）の全周に亘って延びる連続した環状ビード（１１）を含むことを特徴とする請求項１または２による金属パッケージ。
【請求項４】
前記連続した環状ビード（１１）は、前記管状部分（１）の内側か外側に向けて開いたリブの形状を有していることを特徴とする請求項３による金属パッケージ。
【請求項５】
前記連続した環状ビード（１１）は、外方に突出した一体カラーを構成する閉じたリブの形状を有し、このリブは、互いに静置し、周囲の折り目（１７）によって結合された２つの平坦な環状フランジ（１６）の形状をしていることを特徴とする請求項３による金属パッケージ。
【請求項６】
前記一体の環状構造体（１０）は、該環状構造体（１０）を通る平面（１３）内に少なくとも１つの変形例の湾曲部（２０）を含むことを特徴とする請求項１または２による金属パッケージ。
【請求項７】
前記一体の環状構造体（１０）は、前記管状部分（１）の周囲の一部のみに延びる少なくとも１つのビード（１１）を備えていることを特徴とする請求項６による金属パッケージ。
【請求項８】
前記一体の環状構造体（１０）は、前記管状部分（１）の周囲に分布された幾つかのビード（１１）を含むことを特徴とする請求項７による金属パッケージ。
【請求項９】
前記一体の環状構造体（１０）は、１つまたは幾つかのノッチ（２０）を含むことを特徴とする請求項６〜８のいずれかによる金属パッケージ。
【請求項１０】
１つのノッチ（２０）または少なくとも１つのノッチ（２０）の底部（２０ａ）は、管状部分（１）の周囲、または少なくともほぼ周囲に延びていることを特徴とする請求項９による金属パッケージ。
【請求項１１】
前記管状部分を形成する首部（１）を含む容器から成り、そしてこの首部（１）は、栓を受けるための上方部分（２ａ）、および前記一体の環状構造体（１０）を含む下方部分（２ｂ）を備えた口部（２）で終わることを特徴とする請求項１〜１０のいずれかによる金属パッケージ。
【請求項１２】
請求項１〜１１のいずれかによる金属パッケージの製造方法において、該製造方法は、
（ａ）前記金属パッケージの管状部分（１）を製造し、そして
（ｂ）前記管状部分（１）を局部的に変形して、１つまたは幾つかのビード（１１）から成る一体の環状構造体（１０）を形成する
ことにあることを特徴とする金属パッケージの製造方法。
【発明の詳細な説明】
【技術分野】
【０００１】
本発明は、パッケージ、特に金属パッケージの分野に関する。
【背景技術】
【０００２】
パッケージの設計は、製造のみならず、フィラーにおける受け入れから最終パッケージング作業までの数々の取り扱い作業に関連した制約を考慮しなければならない。
しかも、構成材料によって、パッケージは、それぞれ特定用途のための搬送装置の導入の結果となる、構造的制約を引き起こす製造技術によって得られる。
【０００３】
この観点において、プラスチック材料で作られる、パッケージ（瓶または小瓶のような）の口部を形成する管状部分は、通常、個別の取り扱いに有用な「搬送リング」と呼ばれる、周囲から突出した環状のフランジを備えている。
したがって、これらのプラスチック材料パッケージは、ほぼ二又状の取り扱い部材の配置により、この搬送リングの下で、静止状態で、把持され、取り扱われ、および／または搬送され得る。
【０００４】
実際、このようなプラスチックパッケージのために、口部およびその搬送リングは、射出ブロー仕上げまたは押出ブロー仕上げの前に、例えばプリホーム（射出成形によって得られる半製品）上に同時に形成される。
例えばスチールまたはアルミニウムである金属材料で作られるパッケージは、金属成形に関連した技術的制約によりこのような環状で平坦なフランジを持っていない。
したがって、このような金属パッケージの製造、取り扱いおよび充填は、特定用途のための取り扱い手段の導入を導く。
したがって、フィラーのため、プラスチックパッケージから金属パッケージへの切替は、特に取り扱い手段の改造のための重大な投資が必要である。
【発明の概要】
【発明が解決しようとする課題】
【０００５】
上記のことを考慮に入れて、出願人は、複数種のプラスチックパッケージに共通に使用される設備内で取り扱われるようになっている金属パッケージの新しい構造を開発してきた。
【課題を解決するための手段】
【０００６】
その目的で、本発明による金属パッケージは、長手方向軸を定める管状部分を含み、この管状部分は、１つまたは幾つかのビードからなる一体の環状構造体を含み、これらのビードは前記長手方向軸に直交する平面内で、前記管状部分の周囲に形成されて、取り扱い部材が静置される下方の環状表面を形成する。
前記ビード（１つまたは複数）は、有利には、前記管状部分の内側および／または外側に向けて突出した状態で形成される。
【０００７】
特定の実施の形態によれば、一体の環状構造体は、管状部分の全周に亘って延びる連続した環状ビードを含む。この場合、この連続した環状ビードは、管状部分の内側か外側に向けて開いた開放リブの形状を有しているか、あるいは、この連続した環状ビードは、外方に突出した一体カラーを構成する閉じたリブの形状を有し、この一体カラーは、互いに静置し、折り目によって結合された２つの平坦な環状フランジの形状をしている。
【０００８】
他の実施の形態によれば、前記一体の環状構造体は、該環状構造体を通る長手方向軸に直交する平面内に少なくとも１つの変形例の湾曲部を有している。
したがって、この一体の環状構造体は、有利には、水平方向軸について水平半径方向での種々の長さを持つ不連続な湾曲部を持っている。
【０００９】
この実施の形態は、管状部分の周囲の１つまたは幾つかの点において、一体の環状構造体における幾何学的不連続性、特に、１つのビードにおいて、または少なくとも１つのビードにおいて、あるいは２つのビードの間で、幾何学的不連続性を導くことを目的とし、これは、パッケージのこの部位を強固にし、そして垂直方向の力に対する抵抗力を極めて増大することを許容する。
【００１０】
この不連続性は、多少複雑な湾曲、および優先的には、この一体の環状構造体の上側か下側に配置された管状部分の部位の形状の連続性において延びる管状部分（または垂直セグメント）のビードが形成されていない部分の形態を取り得る。換言すれば、管状部分の最初の部位は、一体の環状構造体を構成する意図でビード（複数）を形成するために変形されている。
【００１１】
この場合、一体の環状構造体は、管状部分の周囲の部分のみにわたって延びる少なくとも１つのビードを備えている。
この一体の環状構造体は、有利には、管状部分の周囲に、規則的に、あるいは不規則に（均一に、あるいは不均一に）分布された幾つかのビードを有している。
【００１２】
好ましくは、一体の環状構造体は、それぞれが外方に突出したビードを有しており、そして、それらのビードは、前記環状構造体を通る長手方向軸に直交する平面内において、管状部分の周囲に亘って規則的に分布されている。
好ましくは、一体の環状構造体は、１つのビード上、および／または少なくとも１つのビード上および／または個別の２つのビード上に形成された１つまたは幾つかのノッチを有し、これらのノッチは、有利には、垂直あるいは少なくともほぼ垂直な軸を有しており、また、有利には、管状部分のビードが形成されていないセグメントによって形成されている。
【００１３】
好ましくは、１つのノッチは、１つまたは幾つかの外側ビードのために内側に形成され、１つのノッチは、１つまたは幾つかの内側ビードのために外側に形成されている。
１つのノッチまたは少なくとも１つのノッチの底部は、管状部分の周囲、または少なくともほぼ周囲に延びている。
特定の実施の形態によれば、金属パッケージは、前記管状部分を形成する首部を持つ容器（例えば、瓶）からなり、そしてこの首部は、栓を受けるための上方部分、および一体の環状構造体を含む下方部分を備えた口部で終わる。
【００１４】
本発明はまた、上に規定した金属パッケージの製造方法に関し、該製造方法は、
（ａ）前記パッケージの管状部分を製造し、そして
（ｂ）前記管状部分を局部的に変形して、１つまたは幾つかのビードを持つ一体の環状構造体を形成することからなる。
【００１５】
本発明は、添付した図面に関連した以下の記述により、いかなる限定もされることなく、さらに説明される。
【図面の簡単な説明】
【００１６】
【図１】図１は、パッケージの首部を形成する管状部分の概略斜視図であり、前記首部の口部は、その凸面が外方に向いた開いたリブの形状の連続した環状ビードからなる一体の環状構造体を備えている。
【図２】図２は、図１の口部の側面図である。
【図３】図３は、図２に示したものと近似した、ここでは、湾曲部である一体の環状構造体における管状部分の部分垂直断面図である。
【図４】図４は、図３の実施の形態の変形例の垂直断面図であり、この変形例において、一体の環状構造体は、ここでは、二平面部分となった開いたリブからなる。
【図５】図５は、図３の実施の形態の他の変形例の垂直断面図であり、この変形例において、一体の環状構造体は、平面部分となった「押しつぶされた」ビードに相当し、「圧縮ビード」とも呼ばれる閉じたリブからなる。
【図６】図６は、本発明によるパッケージの他の可能性のある口部の斜視図であり、該口部は、その周囲の角度部分に亘って伸びる幾つかのビードを備えている。
【図７】図７は、図６の口部の側面図である。
【図８】図８は、２つのビードを分離する口部のビードが形成されていないセグメントを示す図７の拡大図である。
【図９】図９は、一体の環状構造体を構成するビードの特定の配置を示す、金属パッケージの管状部分の斜視図である。
【図１０】図１０は、一体の環状構造体を構成するビードの特定の配置を示す、金属パッケージの管状部分の斜視図である。
【図１１】図１１は、一体の環状構造体を構成するビードの特定の配置を示す、金属パッケージの管状部分の斜視図である。
【図１２】図１２は、一体の環状構造体を構成するビードの特定の配置を示す、金属パッケージの管状部分の斜視図である。
【図１３】図１３は、一体の環状構造体を構成するビードの特定の配置を示す、金属パッケージの管状部分の斜視図である。
【図１４】図１４は、一体の環状構造体を構成するビードの特定の配置を示す、金属パッケージの管状部分の斜視図である。
【図１５】図１５は、金属パッケージの管状部分を示す平面図であり、該管状部分の一体の環状構造体は、規則的に配置されたノッチによって分離されたビードを備えている。
【図１６】図１６は、ノッチのための幾つかの可能性のある形状を上方から模式的に示す。
【図１７】図１７は、本発明の実施の形態の変形例を示し、この変形例において、一体の環状構造体は、外側の開いたリブからなる少なくとも１つのビードを備えている。
【発明を実施するための形態】
【００１７】
図１および２は、金属パッケージの一部を示す。
このような金属パッケージは、例えばアルミニウムまたはスチールで作られる。
この金属パッケージは、有利には、例えば、液体（特に、飲料）、ペーストまたは固体（特に、粉体または粒状物）である製品を収容することを意図したベッセルまたは容器である。
このような金属パッケージは、例えば、瓶、小瓶または缶である。
【００１８】
このパッケージは、有利には、終端開口３で開いた口部２で終わる首部を形成する管状部分１（図１および２）が頂部となった本体または胴部（図示せず）を備えている。
管状部分１は、垂直方向を向いた長手方向軸１’を持つ。
この管状部分１は、その周囲を画定し、そして内部ダクトＣの範囲を定める一体の金属壁４によって構成されている（図３）。
長手方向軸１’と直交する管状部分１の水平断面は、円形ではあるが、例えば、長円形、矩形または正方形であってもよい。
【００１９】
管状部分１の上端５は、終端開口３の範囲を定める、外方に向いた周囲リムによって構成されている（図１および２）。
この上端５側において、口部２の上方部分２ａは、栓（図示せず）を受けるための手段、ここでは螺旋ネジ６を有している。
【００２０】
同じ上端５から離れて、口部２の下方部分２ｂ（上方部分２ａの下に直接置かれている）は、ビード１１からなり、取り扱い部材が静置され得る環状の下面１２を形成する一体の環状構造体１０を持つ。
この取り扱い手段（図示せず）は、有利には、搬送リングが設けられたプラスチックボトルの取り扱いの分野に適した従来の二又形状を持つ。
この観点において、ビード１１は、前記長手方向軸１’に直交して延びる平面１３において、そして管状部分１の周囲に亘って形成されている。
【００２１】
「ビード」とは、特に、一体の金属壁４に、例えば、鋳造またはエンボッシングによって窪まされ、あるいはレリーフが付けられて形成されたリブを意味する。
ビード１１は、連続し、管状部分１の全周に亘って延びている。
図１〜３に示されているように、連続した環状ビード１１は、管状部分１の外側に向かって突出して配置されている。
図３から分かるように、この連続したビード１１は、管状部分１の内側に向かって開口した開いたリブの形状を有している。
連続した環状ビード１１の垂直断面は、その周囲に亘って、幾何学的変わり目なく、同一もしくは少なくとも実質的に同一である。
【００２２】
図３によれば、この垂直断面は、例えば、外側に向かって凸状の半円または半楕円である湾曲した形状である。
したがって、下方の環状面１２は、この連続した環状ビード１１のほぼ下方半部によって形成されている。
図４は、一体の環状構造体１０を構成する連続した環状ビード１１の実施の形態の変形例を示す。
【００２３】
連続した環状ビード１１の断面は、
−長手方向軸１’から、頂部から底部へと離れて行く傾斜上方セグメント１４，および
−長手方向軸１’に直交して延び、下面が取り扱いのための下方環状面１２を形成する水平下方セグメント
の２つのセグメントからなる。
換言すれば、連続した環状ビード１１は、上方円錐台状部分と水平フランジの形をした下方部分からなる。
【００２４】
図５に示された更に他の実施の形態によれば、連続した環状ビード１１は、外方に突出した一体のカラーを形成する閉じたリブの形状を持つ。
「圧縮ビード」とも呼ばれるこのような連続した環状ビード１１は、互いに対し静置された２つの平坦な環状フランジの形をしており、下方のフランジは、取り扱いのための環状下面を形成し、そして前記下方のフランジと上方のフランジは、周囲の折り目１７によって連結されている。
【００２５】
図６〜８は、本発明の他の実施の形態を示し、この実施の形態において、一体の環状構造体１０は、管状部分１の周囲に亘って、該環状構造体１０を通る長手方向軸１’に直交する平面１３に湾曲の少なくとも１つの変形例を含む。
このような実施の形態は、パッケージの口部２の強化し、そしてこの一体の環状構造体１０における垂直方の力に対する対抗力を極めて増大する。
【００２６】
その目的で、一体の環状構造体１０は、管状部分１の周囲に亘って延びる「不連続なビード」１１を備えている。
従って、一体の環状構造体１０は、管状部分１の周囲に亘って均一にまたは規則的に配置された幾つかの個別のビード１１を有している。この場合、各ビード１１は、管状部分１の周囲の一部分に延びている。
【００２７】
一体の環状構造体１０は、３つのビード１１を持ち、各ビードは、ほぼ５°〜１２０°、好ましくはほぼ６０°〜１１０°の水平角度域にほぼ延びている。
これらのビード１１は、それぞれ外方に突出し、管状部分１の周囲に亘って、長手方向軸１’に直交する平面１３に規則的に配置されている。
これらのビード１１は、一緒になって下方静置面１２を形成し、該静置面は、不連続であり、これらのビード１１の下面により形成されている。
【００２８】
これらのビード１１の垂直断面は、上記したように、例えば、湾曲化されあるいは２面形にカスタマイズされている。
これらのビード１１は、管状部分１のビードが形成されていないセグメントにあるノッチ２０により２つずつ分離されている（ここでは、３つ）。
したがって、これらのビードが形成されていないセグメント２０は、一体の環状構造体１０のための垂直方向の力に対しての強化領域を形成する。
各ビードが形成されていないセグメント２０は、垂直軸２０’に沿って延びる、口部２（または管状部分１）のセグメントであり、そして、該口部２の上下に直接に配置された部分のセクションに連続している（セクションを不連続にせず、または破っていない）。
したがって、これらのビードが形成されていないセグメント２０は、管状部分１の周囲に延びている。
【００２９】
同様に、各ノッチ２０の底部２０ａは、したがって、有利には、管状部分１の周囲に延びている。
各ノッチ２０は、２つの隣接したビード１１の対向端２０ｂによって横方向の範囲が定められている。
水平方向セクションにおいて、各ノッチ２０の端部２０ｂは、例えば、互いに対して平行に延びており、または図１６に関連して下記するように、周囲向けて遠ざけられている。各ノッチ２０は、また、円弧状断面を呈していてもよい。
【００３０】
本発明による金属パッケージの製造方法は、有利には、
（ａ）前記パッケージの管状部分１を製造し、そして
（ｂ）前記管状部分１に前記一体の管状部分１０を形成して、例えば、異なるビードの局所的なおよび不連続な形状の作業によりビード（１つまたは複数）を形成する。
【００３１】
図９〜１４は、外方に向かい、そして管状部分１のビードが形成されていないセグメント２０により２つずつに分離された幾つかのビード１１を持つこの一体の環状構造体１０の実施の形態の変形例を示す。
これらの図において、一体の環状構造体１０は、それぞれ
−図９：ほぼ２０°〜６０°の水平角度域にそれぞれが延びるビードが形成されていないセクション２０により分離された、ほぼ６０°〜１００°の水平角度域にそれぞれが延びる３つのビード１１、
−図１０：ほぼ５°〜３０°の水平角度域にそれぞれが延びるビードが形成されていないセクション２０により分離された、ほぼ３０°〜５５°の水平角度域にそれぞれが延びる６つのビード１１、
−図１１：ほぼ６０°〜９０°の水平角度域にそれぞれが延びるビードが形成されていないセクション２０により分離された、ほぼ３０°〜６０°の水平角度域にそれぞれが延びる３つのビード１１、
−図１２：ほぼ１０°〜３０°の水平角度域にそれぞれが延びるビードが形成されていないセクション２０により分離された、ほぼ３０°〜５０°の水平角度域にそれぞれが延びる６つのビード１１、
−図１３：ほぼ９０°〜１１０°の水平角度域にそれぞれが延びるビードが形成されていないセクション２０により分離された、ほぼ１０°〜３０°の水平角度域にそれぞれが延びる３つのビード１１、
−図１４：ほぼ３０°〜５０°の水平角度域にそれぞれが延びるビードが形成されていないセクション２０により分離された、ほぼ１０°〜３０°の水平角度域にそれぞれが延びる６つのビード１１
を含む。
【００３２】
図１５は、更に、ノッチ２０により分離された幾つかのビード１１を持つ周囲の環状構造体１０を平面図で示す。
この図１５において、ノッチ２０の底部２０ａは、有利には、口部２の周囲に延びていることが分かる。
【００３３】
代替的には、各内向きのノッチ２０の底部２０ａは、
−１番目のケースでは、ビード１１により規定された環状空間において、符号２０ａ２で示された底部で示されているように、部分的なエンポスのようなものに対応する、口部２の周囲から離れて、
−２番目のケースでは、符号２０ａ２で示された底部で示されているように、管状部分１によって規定された内部空間において、
延びている。
【００３４】
１番目のケースでは、一体の環状構造体１０は、複数のノッチ２０が配置された一種の連続環状ビード１１にある。
２番目のケースでは、一体の環状構造体は、内方および外方に突出した交互のビードを含み、したがって、管状部分について内向き／外向きビードの組み合わせが得られる。
【００３５】
このような一体の環状構造体の製作は、有利には、連続する環状ビードの形成作業、続いての、例えばエンボスによるノッチの形成作業を備える。
したがって、一種の連続した環状ビード１１はその周囲に亘ってノッチ２０により局所的に中断されて得られる。
上述されたこれらのノッチ２０は、図１６に示されているように適宜な道具によっていかなる形状をも取り得る。
したがって、これらのノッチ２０は、例えば、矩形（ＡまたはＢ）、台形（ＣまたはＤ）あるいは円弧状（Ｅ）とすることができる。
【００３６】
図１７は、本発明の実施の形態の変形例を示し、この変形例において、一体の環状構造体１０は、外方に開放したリブにあるビード１１を備えている。
このビード１１は、下方静置面１２を作る連続する環状ビードの形をしている。実施の形態の変形例において、複数の外方に開放したビードが期待され、これらのビードは、口部の軸と直交する同一の平面に配置され、そしてビードが形成されていないセグメントにより、または外方に突出した複数のビードにより分離されている。
【００３７】
一般的に、本発明による金属パッケージは、取り扱い、特に、プラスチックパッケージの取り扱いに通常必要な設備において簡単である。
【図１】
2015511562.tif 000003
【図２】
2015511562.tif 000004
【図３】
2015511562.tif 000005
【図４】
2015511562.tif 000006
【図５】
2015511562.tif 000007
【図６】
2015511562.tif 000008
【図７】
2015511562.tif 000009
【図８】
2015511562.tif 000010
【図９】
2015511562.tif 000011
【図１０】
2015511562.tif 000012
【図１１】
2015511562.tif 000013
【図１２】
2015511562.tif 000014
【図１３】
2015511562.tif 000015
【図１４】
2015511562.tif 000016
【図１５】
2015511562.tif 000017
【図１６】
2015511562.tif 000018
【図１７】
2015511562.tif 000019
【国際調査報告】
2015511562.tif 000020
2015511562.tif 000021
2015511562.tif 000022
2015511562.tif 000023
2015511562.tif 000024
2015511562.tif 000025